(57)【特許請求の範囲】
【請求項１】
ユーザ機器によってページングメッセージを受信するステップと、
前記ユーザ機器により、サービス固有のアクセス制御情報を伝送するシステムブロードキャストメッセージを受信するステップであって、前記ページングメッセージが特定のサービスに基づくアクセス制御を行うように指示した場合に、前記システムブロードキャストメッセージは、前記ページングメッセージが受信された後に前記ユーザ機器により直ちに受信される、ステップと、
前記ユーザ機器により前記サービス固有のアクセス制御情報に従って特定のサービスに基づくアクセス制御を行うステップと
を含むことを特徴とするアクセス制御方法。
【請求項２】
前記ユーザ機器によって新しいページングメッセージを受信するステップと、
前記新しいページングメッセージが特定のサービスに基づくアクセス制御を行わないように指示した場合に、前記ユーザ機器により、前記ページングメッセージを受信した後に、サービス固有でないアクセス制御情報を伝送する新しいシステムブロードキャストメッセージを直ちに受信するステップと、
前記ユーザ機器により、前記サービス固有でないアクセス制御情報に従って前記サービス固有でないアクセス制御を行うステップと、
を更に含むことを特徴とする請求項１に記載のアクセス制御方法。
【請求項３】
前記特定のサービスは、以下の項目、すなわち、
移動機発信ビデオサービス、移動機発信音声サービス、移動機発信データサービス、移動機発信ショートメッセージサービス（ＳＭＳ）、移動機発信マルチメディアサービス、移動機発信ボイスオーバインターネットプロトコル（ＶｏＩＰ）サービスまたは他の移動機発信サービス、あるいは、移動機着信ビデオサービス、移動機着信音声サービス、移動機着信データサービス、移動機着信ＳＭＳサービス、移動機着信マルチメディアサービス、移動機着信ＶｏＩＰサービスまたは他の移動機着信サービスののうちのいずれか１つまたは組合せであることを特徴とする請求項１に記載のアクセス制御方法。
【請求項４】
前記ユーザ機器により、前記サービス固有のアクセス制御情報を伝送する前記システムブロードキャストメッセージを、前記ページングメッセージを受信した後に直ちに受信する前記ステップは、
前記ユーザ機器の無線リソース制御層によって前記システムブロードキャストメッセージを受信するステップと、前記システムブロードキャストメッセージから前記サービス固有のアクセス制御情報を取得するステップと、前記特定のサービスに基づく前記アクセス制御を行うように前記ユーザ機器の非アクセス階層に通知するステップとを含み、
前記ユーザ機器により、前記サービス固有のアクセス制御情報に従って前記特定のサービスに基づく前記アクセス制御を行う前記ステップは、
前記ユーザ機器の前記無線リソース制御層によってアクセスサービスタイプを伝送するアクセス要求を受信するステップと、前記サービス固有のアクセス制御情報に従って前記アクセスサービスタイプに対応する前記特定のサービスに基づくアクセス制御を行うステップとを含み、
前記アクセス要求は、前記ユーザ機器の前記非アクセス階層が、前記アクセス制御を前記特定のサービスに基づき実行してもよいということを知った後に送られ、前記アクセスサービスタイプは、以下の項目、すなわち、
移動機発信ビデオサービス、移動機発信音声サービス、移動機発信データサービス、移動機発信ショートメッセージサービス（ＳＭＳ）、移動機発信マルチメディアサービス、移動機発信ボイスオーバインターネットプロトコル（ＶｏＩＰ）サービスまたは他の移動機発信サービス、あるいは、移動機着信ビデオサービス、移動機着信音声サービス、移動機着信データサービス、移動機着信ＳＭＳサービス、移動機着信マルチメディアサービス、移動機着信ＶｏＩＰサービスまたは他の移動機着信サービスののうちのいずれか１つまたは組合せであることを特徴とする請求項１〜３のいずれか一項に記載のアクセス制御方法。
【請求項５】
前記ユーザ機器により、前記サービス固有でないアクセス制御情報を伝送する新しいシステムブロードキャストメッセージを受信する前記ステップは、
前記ユーザ機器の無線リソース制御層によって前記新しいシステムブロードキャストメッセージを受信するステップと、前記新しいシステムブロードキャストメッセージから前記サービス固有でないアクセス制御情報を取得するステップと、前記サービス固有のアクセス制御情報に従って前記特定のサービスに基づき行われる前記アクセス制御を停止するように前記ユーザ機器の非アクセス階層に通知するステップとを含み、
前記ユーザ機器により、前記新しいシステムブロードキャストメッセージ内の前記サービス固有でないアクセス制御情報に従って前記アクセス制御を行う前記ステップは、
前記ユーザ機器の前記無線リソース制御層により、アクセスサービスタイプを伝送するアクセス要求を受信するステップと、前記サービス固有でないアクセス制御情報に従って前記アクセスサービスタイプに対応するサービスに基づく前記アクセス制御を行うステップとを含み、
前記アクセス要求は、前記ユーザ機器の前記非アクセス階層が、前記特定のサービスに基づく前記アクセス制御を停止してもよいということを知った後に送られ、前記アクセスサービスタイプは、移動機発信サービスまたは移動機着信サービスを含むことを特徴とする請求項２に記載のアクセス制御方法。
【請求項６】
前記ユーザ機器により、前記サービス固有でないアクセス制御情報を伝送する前記新しいシステムブロードキャストメッセージを受信する前記ステップは、
前記ユーザ機器の無線リソース制御層によって前記新しいシステムブロードキャストメッセージを受信するステップと、前記新しいシステムブロードキャストメッセージから前記サービス固有でないアクセス制御情報を取得するステップとを含み、
前記ユーザ機器により、前記サービス固有でないアクセス制御情報に従って前記サービス固有でない前記アクセス制御を行う前記ステップは、
前記ユーザ機器の前記無線リソース制御層によって、アクセスサービスタイプを伝送するアクセス要求を受信するステップと、前記アクセスサービスタイプを移動機発信サービスおよび／または移動機着信サービスに分類するステップと、前記サービス固有でないアクセス制御情報に従って前記分類されたアクセスサービスタイプに対応するサービスに基づくアクセス制御を行うステップとを含み、
前記アクセス要求は、前記ユーザ機器の前記非アクセス階層によって送られ、
前記アクセスサービスタイプは、以下の項目、すなわち、
移動機発信ビデオサービス、移動機発信音声サービス、移動機発信データサービス、移動機発信ショートメッセージサービス（ＳＭＳ）、移動機発信マルチメディアサービス、移動機発信ボイスオーバインターネットプロトコル（ＶｏＩＰ）サービスまたは他の移動機発信サービス、あるいは、移動機着信ビデオサービス、移動機着信音声サービス、移動機着信データサービス、移動機着信ＳＭＳサービス、移動機着信マルチメディアサービス、移動機着信ＶｏＩＰサービスまたは他の移動機着信サービスののうちのいずれか１つまたは組合せであることを特徴とする請求項２に記載のアクセス制御方法。
【請求項７】
前記サービス固有のアクセス制御情報に従って前記アクセスサービスタイプに対応する前記特定のサービスに基づく前記アクセス制御を行う前記ステップは、
前記ユーザ機器の前記無線リソース制御層により、前記サービス固有のアクセス制御情報に従って前記アクセスサービスタイプに対応する前記特定のサービスのアクセス決定を行うステップと、
前記特定のサービスがアクセス可能であると判断した場合にセットアップ原因値を伝送する接続セットアップ要求メッセージを送るステップと
を含み、
前記セットアップ原因値は、前記アクセスサービスタイプと前記セットアップ原因値のマッピング関係に従って、および前記アクセス要求内の前記アクセスサービスタイプに従って前記ユーザ機器の前記無線リソース制御層によって決定されることを特徴とする請求項４に記載のアクセス制御方法。
【請求項８】
サービス固有のアクセス制御情報を伝送するシステムブロードキャストメッセージを受信するように構成された受信部と、
前記受信部によって前記サービス固有のアクセス制御情報を伝送する前記システムブロードキャストメッセージが受信された場合に、前記サービス固有のアクセス制御情報に従って特定のサービスに基づくアクセス制御を行うように構成された第１の制御部と
を備え、
前記受信部は、
ページングメッセージを受信するように構成されたページングメッセージ受信部と、
前記ページングメッセージが前記ユーザ機器に特定のサービスに基づくアクセス制御を行うように指示した場合に、前記サービス固有のアクセス制御情報を伝送する前記システムブロードキャストメッセージを、前記ページングメッセージが受信された後に直ちに受信するように構成されたシステムブロードキャストメッセージ受信部と
を備えることを特徴とするユーザ機器。
【請求項９】
前記受信部は、サービス固有でないアクセス制御情報を伝送するシステムブロードキャストメッセージを受信するように更に構成され、
前記システムブロードキャストメッセージ受信部は、前記ユーザ機器に特定のサービスに基づくアクセス制御を行わないように指示するページングメッセージを前記ページングメッセージ受信部が受信した場合に、前記サービス固有でないアクセス制御情報を伝送する前記システムブロードキャストメッセージを直ちに受信するように更に構成されており、
前記ユーザ装置は、
前記サービス固有でないアクセス制御情報を伝送するシステムブロードキャストメッセージが前記受信部により受信された場合に、前記サービス固有でないアクセス制御情報に従って前記アクセス制御を行うように構成された第２の制御部を更に備えることを特徴とする請求項８に記載のユーザ機器。
【請求項１０】
ネットワーク装置と、
請求項８又は９に記載された前記ユーザ機器と
を備え、
前記ネットワーク装置は、前記ページングメッセージと、前記サービス固有のアクセス制御情報を伝送する前記システムブロードキャストメッセージ及び前記サービス固有でないアクセス制御情報を伝送する前記システムブロードキャストメッセージの少なくとも一方と、を送信するように構成されている
ことを特徴とするアクセス制御システム。
【発明の詳細な説明】
【技術分野】
【０００１】
本出願は、２００９年６月１２日に中国専利局に出願の「アクセス制御方法、装置およびシステム」という名称の中国特許出願第２００９１０１４６８６１．Ｘ号の優先権を主張するものであり、この出願は、全体が引用により本明細書に組み入れられる。
【０００２】
本発明は、通信技術の分野に関し、特にアクセス制御方法、装置およびシステムに関する。
【背景技術】
【０００３】
通信システムにおいては、ユーザ機器（ＵＥ：ユーザ機器）がネットワークにアクセス要求を送ると、ネットワークは、時には、アクセス要求を判定して、アクセスを許可するべきかどうか、およびどのようにＵＥがネットワークにアクセスするのかを判断する必要がある。従来技術における既存のアクセス制御方法は、以下の通りである。
【０００４】
１．動的ソフトアドミッション制御（ＤＳＡＣ：動的ソフトアドミッション制御）
【０００５】
ＤＳＡＣは、災害がユニバーサル移動体通信システム（ＵＭＴＳ：ユニバーサル移動体通信システム）において発生したときに使用される、特殊なアクセス制御方法である。
【０００６】
パケット交換（ＰＳ：パケット交換）サービスは、回線交換式（ＣＳ：回線交換式）サービスより高い比率においてネットワークリソースを利用する。よって、ネットワークが災害の結果として混雑する場合には、ネットワークの円滑化の際にＰＳドメインのサービスが優先される。ＤＳＡＣは、ドメインベースのアクセス制御方法である。たとえば、ＤＳＡＣでは、ＣＳ通話を制限することによってＰＳドメインの断続的なサービスを回避する。災害が発生したとき、システムは、システムメッセージを介してＵＥに種々のドメインに関して制御情報を送る。ＵＥがシステムメッセージを読んだ後、ＵＥがドメインベースの制御情報を検出した場合、ＵＥは、かかる情報を適用してアクセス制御を実行し、ＵＥがドメインベースの制御情報を検出しない場合、ＵＥは、通常のアクセス制御情報を適用してアクセス制御を行う。
【０００７】
２．ロングタームエボリューション（ＬＴＥ：ロングタームエボリューション）システム内でのアクセス階層（ＡＳ：アクセス階層）におけるアクセス制御
【０００８】
現在、ＬＴＥシステムのＡＳに課されるサービスアクセス制限は、ＵＥに関するアクセスクラス制限（ＡＣＢ：アクセスクラス制限）および発展型ＮｏｄｅＢ（ｅＮＢ）に関するアクセス制御を含む。
【０００９】
ＡＣＢプロセスは、以下を含む。すなわち、ＵＥの無線リソース制御（ＲＲＣ：無線リソース制御）層は、上位層からアクセス要求を受信した後にアクセス要求において伝送されるアクセスタイプに従って、ＲＲＣ層におけるアクセス前の制限を実行し、ＵＥが、アクセスが判定後に許可されると判断した場合、ＵＥは、メッセージにアクセスタイプを追加してｅＮＢにメッセージを送り、ｅＮＢは、アクセスタイプに従って更なるアクセス制御を行う。
【００１０】
現在、５つのアクセスタイプが、ＵＥ側のＡＣＢ、およびｅＮＢ側のアクセス制御に適用される。５つのアクセスタイプは、緊急呼出（ｅｍｅｒｇｅｎｃｙ）、最優先ユーザ（ｈｉｇｈＰｒｉｏｒｉｔｙＡｃｃｅｓｓ）、移動機着信（ｍｔ−Ａｃｃｅｓｓ）、移動機発信信号送信（ｍｏ−Ｓｉｇｎａｌｉｎｇ）および移動機発信データ（ｍｏ−Ｄａｔａ）である。
【００１１】
多くの場合に、サービスタイプに基づいたアクセス制御が必要とされる。たとえば、大きい災害が発生したとき、オペレータは、全てのユーザに災害伝言板（Ｄｉｓａｓｔｅｒ  Ｍｅｓｓａｇｅ  Ｂｏａｒｄ）サービスを行う。多くのユーザは、携帯電話を介して同時に災害伝言板を読み書きして、身の安全に関する情報を取得または提供することができる。したがって、このサービスには、システム帯域幅の非常に高い利用率が必要である。しかしながら、大きい災害が発生したとき、人の本能的な反応は、電話をかけることである。突然に急増するこのような音声サービスは、多くの帯域幅を消費して、他のサービス、たとえば、上述の災害伝言板サービス、災害情報ブロードキャストサービスおよびデータサービスに深刻な影響を与える。この場合、帯域幅消費リアルタイムサービス（音声サービスなど）と帯域幅利用率が高いデータサービス（災害情報ブロードキャストなど）とを区別して、帯域幅利用率が高いデータサービスを優先する特定の制限機構を導入する必要がある。
【００１２】
しかしながら、従来技術においては、ＤＳＡＣは、ドメインベースのアクセス制御方法しか提供していない。ＬＴＥシステムにおけるＡＳにおいたアクセス制御のために提供される５つのアクセスタイプは、サービスタイプを含まず、サービスタイプに基づいたアクセス制御を行うことは不可能である。
【発明の概要】
【発明が解決しようとする課題】
【００１３】
本発明の実施形態は、アクセス制御方法、装置およびシステムを提供する。
【課題を解決するための手段】
【００１４】
本発明の一実施形態は、ＵＥが特定のサービスのためにアクセス制御を行う必要があるかどうか判定するステップと、ＵＥにシステムブロードキャストメッセージを送るステップとを含み、システムブロードキャストメッセージは、ＵＥが特定のサービスのためにアクセス制御を行う必要がある場合にサービス固有のアクセス制御情報を伝送するアクセス制御方法を提供する。
【００１５】
本発明の別の実施形態は、ＵＥにより、サービス固有のアクセス制御情報を伝送するシステムブロードキャストメッセージを受信するステップと、ＵＥにより、サービス固有のアクセス制御情報に従って特定のサービスのためにアクセス制御を行うステップとを含むアクセス制御方法を提供する。
【００１６】
本発明の実施形態は、
ＵＥが特定のサービスのためにアクセス制御を行う必要があるかどうかを判定するように構成された判定部と、
ＵＥにシステムブロードキャストメッセージを送るように構成された送信部と
を含み、
前記システムブロードキャストメッセージは、ＵＥが前記特定のサービスのために前記アクセス制御を行う必要があると判定部が判断する場合に、サービス固有のアクセス制御情報を伝送するネットワーク装置を提供する。
【００１７】
本発明の一実施形態は、ＵＥおよびネットワーク装置を含むアクセス制御システムを提供する。ＵＥは、サービス固有のアクセス制御情報を伝送するシステムブロードキャストメッセージを受信し、かつ、前記サービス固有のアクセス制御情報に従って特定のサービスのためにアクセス制御を行うように構成される。
【００１８】
本発明の一実施形態は、
サービス固有のアクセス制御情報を伝送するシステムブロードキャストメッセージを受信するように構成された受信部と、
受信部により受信されたサービス固有のアクセス制御情報に従ってサービスに特有なアクセス要求のためにアクセス制御を行うように構成された第１の制御部とを含むＵＥを提供する。
【００１９】
本発明の別の実施形態は、ネットワーク装置およびＵＥを含むアクセス制御システムを提供する。ネットワーク装置は、ＵＥが特定のサービスのためにアクセス制御を行う必要があるかどうかを判定し、かつ、ＵＥにシステムブロードキャストメッセージを送るように構成され、前記システムブロードキャストメッセージは、ＵＥが特定のサービスのためにアクセス制御を行う必要がある場合にサービス固有のアクセス制御情報を伝送するか、またはシステムブロードキャストメッセージは、ＵＥが特定のサービスのためにアクセス制御を行う必要がない場合に従来のアクセス制御情報を伝送する。
【００２０】
前述の技術的なソリューションから理解されるように、種々のサービスタイプは、種々のサービス固有のアクセス制御情報に対応しており、したがって、ＵＥは、ユーザの要求を満たすサービス固有のアクセス制御情報に従って種々のサービスに特有なアクセス要求のためにアクセス制御を行うことができる。
【００２１】
本発明の実施形態内または従来技術内の技術的なソリューションをより明らかにするために、以下は、本発明の実施形態または従来技術の説明に関与する添付図面を概説するものである。明らかに、以下で概説する添付図面は、例示的であって網羅的でなく、当業者は、独創的な努力なしに他の図面をかかる添付図面から導出することができる。
【図面の簡単な説明】
【００２２】
【図１】本発明の第１の実施形態によるアクセス制御方法の単純なフローチャートである。
【図２】本発明の第２の実施形態によるアクセス制御方法の単純なフローチャートである。
【図３】本発明の第３の実施形態によるアクセス制御方法の単純なフローチャートである。
【図４】本発明の第４の実施形態によるアクセス制御方法の単純なフローチャートである。
【図５】本発明の実施形態によるセットアップ原因値とアクセスサービスタイプ値の間のマッピング関係の単純なインスタンスを示す図である。
【図６】本発明の実施形態によるネットワーク装置の単純な構造図である。
【図７】本発明の実施形態によるＵＥの単純な構造図である。
【図８】本発明の実施形態によるアクセス制御システムの単純な構造図である。
【発明を実施するための形態】
【００２３】
以下の詳細な説明は、本発明の実施形態における技術的なソリューションの明確かつ完全な理解が得られるように添付図面を参照して示す。明らかに、図面および詳細な説明は、本発明の特定の実施形態を単に表すものであり、実施形態は、本来例示的であって網羅的ではない。独創的な努力なしにここで示す実施形態から当業者によって導出することができる全ての他の実施形態は、本発明の範囲に入るものとする。
【００２４】
一般に、地震または津波などの災害が発生すると、サービスに基づいたアクセス制御が必要とされる。このような状況においては、ユーザは、通常よりも多くの電話をかけ、通常よりも多くのメッセージを送る。より多くの他のサービスがリソースを消費する状態で、ネットワークリソースは、災害の場合には非常に切迫している。したがって、帯域幅の高い利用率を有するサービスおよび優先度の高いサービスが、最初にリソースを取得するようにサービスに基づいたアクセス制御が行われる必要がある。受信された命令または他の条件に従ってサービスに基づいたアクセス制御の必要性を判定した後に、ネットワークは、サービス固有のアクセス制御情報を伝送するシステム広帯域メッセージを送る。「サービス固有の」または「特定のサービス」という表現は、ここでは、サービスに基づいたアクセス制御が種々のサービスに固有のアクセス制御であることを示すことに注意されたい。これとは対照的に、既存の通常のアクセス制御は、サービスに基づくものではなく、通常のソート方法に基づくものである。したがって、特定のサービスは、ここでは、指定のサービス、専用サービス、または特殊サービス、あるいは、アクセス制御方法、基づいているサービスを反映する任意の他の表現である場合がある。かかる種々の表現は、本発明を制限するものと解釈しないものとする。
【００２５】
本発明の実施形態は、アクセス制御方法、装置およびシステムを提供する。サービスタイプに基づくアクセス制御方法においては、ネットワークの混雑、災害またはサービスの突然の急増が発生したかまたはまさに発生しようとしているときに、ネットワークは、予め設定された種々のサービスタイプに従ってＵＥにサービス固有のアクセス制御情報を送る。ＵＥは、サービス固有のアクセス制御情報に従って種々のサービスに特有なアクセス要求のためにアクセス制御を行う。このようにして、サービスタイプに従ってアクセス要求のためにアクセス制御が行われる。
【００２６】
具体的には、ネットワークは、ＵＥが特定のサービスのためにアクセス制御を行う必要があるかどうかを判定し、次いで、判定結果に従ってＵＥにシステムブロードキャストメッセージを送る。ＵＥが特定のサービスのためにアクセス制御を行う必要がある場合、システムブロードキャストメッセージは、サービス固有のアクセス制御情報を伝送し、ＵＥが特定のサービスのためにアクセス制御を行う必要がない場合、システムブロードキャストメッセージは、従来のアクセス制御情報、すなわちサービスに特有でないアクセス制御情報を伝送する。
【００２７】
ＵＥがシステムブロードキャストメッセージを受信するとき、システムブロードキャストメッセージがサービス固有のアクセス制御情報を伝送する場合、ＵＥは、サービス固有のアクセス制御情報に従って特定のサービスのためにアクセス制御を実行し、システムブロードキャストメッセージが従来のアクセス制御情報、すなわち、サービスに特有でないアクセス制御情報を伝送する場合、ＵＥは、従来のアクセス制御情報に従ってサービスに特有でないアクセス制御を行い、たとえば従来技術において実現されたアクセス制御方法を適用する。
【００２８】
この実施形態内の可能なサービスタイプとしては、以下の、すなわち、音声（ＭＭＴＥＬ音声）サービス、ビデオ（ＭＭＴＥＬビデオ）サービス、データサービス、ショートメッセージサービス（ＳＭＳ）、マルチメディアサービス、ボイスオーバインターネットプロトコル（ＶｏＩＰ）サービス、および他のサービスののうちのいずれか１つまたは組合せがある。様々なサービスタイプは、移動機発信サービスタイプおよび移動機着信サービスタイプに更に分類される。前述の分類方法は、一例にすぎない。実際には、サービスタイプは実状に従って更に分類することができる。たとえば、システム内のサービス固有のアクセス制御に関しては、特定のサービスタイプとしては、移動機発信音声サービス、移動機着信音声サービス、移動機発信ビデオサービスおよび移動機着信ビデオサービスを含むことができる。サービス固有のアクセス制御情報は、このような４つのサービスタイプのうちのいずれかに特有なアクセス制御情報である場合がある。従来のアクセス制御（サービスに特有でないアクセス制御）に関しては、サービスタイプとしては、移動機発信サービスおよび移動機着信サービスを含むことができる。したがって、従来のアクセス制御情報（サービスに特有でないアクセス制御情報）は、移動機発信サービスに特有なアクセス制御情報または移動機着信サービスに特有なアクセス制御情報であってもよく、かつ、サービスに特有なものではない。
【００２９】
サービス固有のアクセス制御情報は、以下、すなわち、サービスがアクセス許可されるかどうか、アクセスを許可する確率、またはアクセスの優先権のうちのいずれか１つまたは組合せを含んでもよく、もちろん、サービス固有のアクセス制御情報は、他の関連情報を含んでもよい。
【００３０】
この実施形態において提示するアクセス制御方法においては、種々のサービスタイプは、種々のサービス固有のアクセス制御情報に対応しており、したがって、ＵＥは、ユーザの要求を満たすサービス固有のアクセス制御情報に従って種々のサービスに特有なアクセス要求のためにアクセス制御を行うことができる。
【００３１】
移動機発信サービスに関しては、図１は、本発明の第１の実施形態によるアクセス制御方法のフローチャートである。この方法は、以下のステップを含む。
【００３２】
１０１．システムブロードキャストメッセージを送る。システムブロードキャストメッセージは移動機発信サービスに基づいたアクセス制御情報を伝送し、アクセス制御情報は、各移動機発信サービスに特有な情報を含む。
【００３３】
災害が発生したかまたはサービスの突然の急増が発生すると、ネットワークは、サービスに基づいたアクセス制御を行うことが必要であると判定して、システムブロードキャストメッセージを送る。システムブロードキャストメッセージは、種々の移動機発信サービスに特有なアクセス制御情報を伝送する。たとえば、メッセージは、移動機発信ＭＭＴＥＬ音声サービスに特有な情報であるａｃｃｅｓｓＢａｒｒｉｎｇＦｏｒＭＯ−ｖｏｉｃｅを伝送し、メッセージは、移動機発信ＭＭＴＥＬビデオサービスに特有な情報であるａｃｃｅｓｓＢａｒｒｉｎｇＦｏｒＭＯ−ｖｉｄｅｏを伝送し、メッセージは、他の移動機発信サービスに特有な情報であるａｃｃｅｓｓＢａｒｒｉｎｇＦｏｒＭＯ−ｏｔｈｅｒを伝送する。
【００３４】
１０２．ＵＥは、システムブロードキャストメッセージを受信する。
【００３５】
具体的には、ＵＥのＲＲＣ層が、システムブロードキャストメッセージを受信する。
【００３６】
１０３．ＵＥは、システムブロードキャストメッセージから移動機発信サービスに基づいたアクセス制御情報を取得する。
【００３７】
１０４．ＵＥは、移動機発信サービスに基づいたアクセス制御情報に従って、各移動機発信サービスに特有なアクセス要求のためにアクセス制御を行う。
【００３８】
具体的には、ＵＥのＲＲＣ層は、制御情報を適用して、非アクセス階層（ＮＡＳ）によって非公式に承認された（ｉｎｉｔｉａｌｅｄ）移動機発信サービスアクセス要求のためにアクセス制御を行う。
【００３９】
更に、ＵＥは、優先して移動機発信サービスに基づいたアクセス制御情報を使用して、移動機発信サービスに基づいたアクセス制御情報がない場合にサービスに特有でないアクセス制御情報（既存のａｃｃｅｓｓＢａｒｒｉｎｇｌｎｆｏｒｍａｔｉｏｎなど）を使用する場合がある。
【００４０】
移動機着信サービスに関しては、図２は、本発明の第２の実施形態によるアクセス制御方法のフローチャートである。この方法は、以下のステップを含む。
【００４１】
２０１．システムブロードキャストメッセージを送る。システムブロードキャストメッセージは、移動機着信サービスに基づいたアクセス制御情報を伝送し、アクセス制御情報は、各移動機着信サービスに特有な情報を含む。
【００４２】
災害が発生したかまたはサービスの突然の急増が発生すると、ネットワークは、サービスに基づいたアクセス制御を行うことが必要であると判定し、かつ、種々の移動機着信サービスに特有なアクセス制御情報を伝送するシステムブロードキャストメッセージを送る。たとえば、メッセージは、移動機発信ＭＭＴＥＬ音声サービスに特有な情報であるａｃｃｅｓｓＢａｒｒｉｎｇＦｏｒＭＯ−ｖｏｉｃｅを伝送し、メッセージは、移動機着信ＭＭＴＥＬビデオサービスに特有な情報であるａｃｃｅｓｓＢａｒｒｉｎｇＦｏｒＭＯ−ｖｉｄｅｏを伝送し、メッセージは、その他の移動機着信サービスに特有な情報であるａｃｃｅｓｓＢａｒｒｉｎｇＦｏｒＭＯ−ｏｔｈｅｒを伝送する。
【００４３】
２０２．ＵＥは、システムブロードキャストメッセージを受信する。
【００４４】
具体的には、ＵＥのＲＲＣ層は、システムブロードキャストメッセージを受信する。
【００４５】
２０３．ＵＥは、システムブロードキャストメッセージから移動機着信サービスに基づいたアクセス制御情報を取得する。
【００４６】
２０４．ＵＥは、各移動機着信サービスに特有なアクセス要求のために移動機着信サービスに基づいたアクセス制御情報に従ってアクセス制御を行う。
【００４７】
具体的には、ＵＥのＲＲＣ層は、制御情報を適用して、ＮＡＳによって送られた移動機着信サービスアクセス要求のためにアクセス制御を行う。
【００４８】
更に、ＵＥは、優先して、移動機着信サービスに基づいたアクセス制御情報を使用して、移動機着信サービスに基づいたアクセス制御情報がない場合、サービスに特有でないアクセス制御情報（既存のａｃｃｅｓｓＢａｒｒｉｎｇＩｎｆｏｒｍａｔｉｏｎなど）を使用する場合がある。
【００４９】
アクセス制御方法の第１の実施形態および第２の実施形態により、ＵＥは、接続をセットアップする最も早いステップにおいてアクセスを制御して遅れずにその後のネットワークノード混雑を防止することができ、独立したアクセス制御ポリシーが、種々のサービスタイプについて設定され、その結果、帯域幅の利用率が向上する。
【００５０】
本発明の実施形態は、サービスに基づいたアクセス制御を開始または停止する複数の方法を提供する。
【００５１】
具体的には、サービスに基づいたアクセス制御を開始することができると判定した場合、ネットワークは、サービス固有のアクセス制御情報を伝送するシステムブロードキャストメッセージを送り続け、サービス固有のアクセス制御情報を伝送するシステムブロードキャストメッセージを受信した後に、ＵＥは、サービスに基づいたアクセス制御を実行し始める。サービスに基づいたアクセス制御を停止することができると判定した場合、ネットワークは、サービス固有のアクセス制御情報を伝送するシステムブロードキャストメッセージを送るのを停止し、ＵＥがシステムブロードキャストメッセージからサービス固有のアクセス制御情報を取得するのに失敗すると、ＵＥは、サービス固有のアクセス制御情報に従って種々のサービスアクセス要求のためにアクセス制御を行うのを停止する。ＵＥがアクセス制御を行う必要がある場合、ＵＥは、サービスに特有でないアクセス制御情報に従ってアクセス制御を行う。
【００５２】
図３は、本発明の第３の実施形態によるアクセス制御方法のフローチャートである。この方法は、以下のステップを含む。
【００５３】
３０１．システムブロードキャストメッセージを送る。システムブロードキャストメッセージは、サービス固有のアクセス制御情報または従来のアクセス制御情報を伝送する。
【００５４】
災害が発生したかまたはサービスの突然の急増が発生すると、ネットワークは、サービスに基づいたアクセス制御を行うことが必要であると判定し、かつ、サービスに基づいたアクセス制御を停止することができると判定されるまでサービス固有のアクセス制御情報を伝送するシステムブロードキャストメッセージを送り続ける。
【００５５】
ネットワークがサービスに基づいたアクセス制御を停止することができるかまたはもはや必要とされないと判定すると、ネットワークは、サービス固有のアクセス制御情報を伝送するシステムブロードキャストメッセージを送るのを停止してもよく、かつ、システムブロードキャストに従来のアクセス制御情報を伝送するメッセージを更に送ってもよい。
【００５６】
３０２．ＵＥは、システムブロードキャストメッセージを受信する。
【００５７】
具体的には、ＵＥのＲＲＣ層は、システムブロードキャストメッセージを受信する。
【００５８】
３０３．ＵＥは、システムブロードキャストメッセージがサービス固有のアクセス制御情報を伝送するかどうかを判定し、システムブロードキャストメッセージがサービス固有のアクセス制御情報を伝送する場合、手順は、ステップ３０４に進み、システムブロードキャストメッセージがサービス固有のアクセス制御情報を伝送しない場合、手順は、ステップ３０５に進む。
【００５９】
具体的には、このステップは随意的である。たとえば、ＵＥは、独立して判定を行わず、システムブロードキャストメッセージ内のアクセス制御に関係するコンテンツを読んで、関連のコンテンツに従ってステップ３０４またはステップ３０５を実行する。
【００６０】
３０４．ＵＥは、システムブロードキャストメッセージからサービス固有のアクセス制御情報を取得して、サービス固有のアクセス制御情報に従って種々のサービスアクセス要求のためにアクセス制御を行う。
【００６１】
ＵＥにより受信されたシステムブロードキャストメッセージがサービス固有のアクセス制御情報を伝送する場合、ＵＥは、メッセージを受信するとアクセス制御を行うためにサービス固有のアクセス制御情報の使用を開始し、従来の（サービスに基づいていない）アクセス制御情報の使用を停止する。
【００６２】
更に、このステップの後、ＵＥは、システムブロードキャストメッセージを受信し続けてもよい。システムブロードキャストメッセージが更新された場合、ＵＥは、更新されたシステムブロードキャストメッセージに従ってアクセス制御を行う。たとえば、更新されたシステムブロードキャストメッセージは、サービス固有のアクセス制御情報を伝送せず、したがって、ＵＥは、ステップ３０５を実行する。
【００６３】
３０５．ＵＥは、従来のアクセス制御情報を使用して、アクセス制御を行う。
【００６４】
たとえば、ＵＥは、サービス固有のアクセス制御情報の使用を停止して従来のアクセス制御情報の使用を再開する。
【００６５】
具体的には、ＵＥにより受信されたシステムブロードキャストメッセージがサービス固有のアクセス制御情報を伝送しない場合、ＵＥはサービス固有のアクセス制御情報（ある場合）の使用を停止して、従来の（サービスに基づいていない）アクセス制御情報の使用を再開する。
【００６６】
この実施形態を通じて、ＵＥは、余分の信号送信を必要とすることなくサービス固有のアクセス制御情報の使用を開始し停止する時がわかる。
【００６７】
本発明の一実施形態は、サービスに基づいたアクセス制御の使用を開始および停止する別の方法を提供する。この方法は、以下のものである。ネットワークがサービスに基づいたアクセス制御が必要とされると判定する場合、ネットワークは、サービスに基づいたアクセス制御の指示を伝送するページングメッセージをＵＥに送り、かつ、サービス固有のアクセス制御情報を伝送するシステムブロードキャストメッセージを送り、サービスに基づいたアクセス制御の指示を受信すると、ＵＥは、システムブロードキャストメッセージを読み始めてサービスに基づいたアクセス制御を行う。したがって、ネットワークが、サービスに基づいたアクセス制御を停止することができるかまたはもはや必要とされないと判定すると、ネットワークは、サービスに基づいていないアクセス制御の指示を伝送するページングメッセージをＵＥに送ってもよく、サービス固有のアクセス制御情報を伝送するシステムブロードキャストメッセージを送らず、従来のアクセス制御情報を伝送するシステムブロードキャストメッセージを送ってもよい。指示を受信した後に、ＵＥは、サービス固有のアクセス制御情報に従って種々のサービスアクセス要求のためにアクセス制御を実行しない。
【００６８】
図４は、本発明の第４の実施形態によるアクセス制御方法のフローチャートである。この方法は、以下のステップを含む。
【００６９】
４０１．ページングメッセージおよびシステムブロードキャストメッセージをＵＥに送る。ページングメッセージは、サービスに基づいたアクセス制御の指示を伝送し、システムブロードキャストメッセージは、サービス固有のアクセス制御情報を伝送する。
【００７０】
災害が発生したかまたはサービスの突然の急増が発生すると、ネットワークは、サービスに基づいたアクセス制御を行うことが必要であると判定し、かつ、ＵＥにページングメッセージおよびシステムブロードキャストメッセージを送る。ページングメッセージは、サービスに基づいたアクセス制御の指示を伝送し、システムブロードキャストメッセージは、サービス固有のアクセス制御情報を伝送する。
【００７１】
４０２．ＵＥは、サービスに基づいたアクセス制御の指示を受信して、直ちにシステムブロードキャストメッセージを受信する。
【００７２】
４０３．ＵＥは、システムブロードキャストメッセージからサービス固有のアクセス制御情報を取得して、サービス固有のアクセス制御情報に従って種々のサービスアクセス要求のためにアクセス制御を行う。
【００７３】
ステップ４０２−４０３において、サービスに基づいたアクセス制御の指示を受信すると、ＵＥは、次のシステムブロードキャストメッセージの変化の境界の到着を待つことなく、直ちにシステムブロードキャストメッセージを読み始める。したがって、ＵＥは、直ちにシステムブロードキャストメッセージ内のサービス固有のアクセス制御情報を取得することができて、アクセス制御を行うことができる。もちろん、ＵＥがサービス固有のアクセス制御情報を使用し始めるとすぐに、ＵＥは、従来のアクセス制御情報を使用するのを停止する。
【００７４】
４０４．ネットワークがサービスに基づいたアクセス制御を停止することが妥当であると判定した場合、ネットワークは、ＵＥにサービスに基づいたアクセス制御を停止する指示を伝送するページングメッセージを送って、サービス固有のアクセス制御情報を伝送するシステムブロードキャストメッセージを送るのを停止する。
【００７５】
具体的には、ネットワークは、サービスに基づいたアクセス制御を停止する指示を伝送する更新されたページングメッセージを送ることができるか、または更新されたページングメッセージは、サービスに基づいたアクセス制御の指示を伝送しない。このようにして、ＵＥは、遅れずにサービス固有のアクセス制御を停止することに関する情報を知る。更に、この指示は、直ちに更新されたシステムブロードキャストメッセージを読むようにＵＥをトリガするために使用することもできる。たとえば、ネットワークは、更新されたページングメッセージを送って、更新されたシステムブロードキャストメッセージを直ちにまたは同時に送る。更新されたシステムブロードキャストメッセージは、従来のアクセス制御情報を含む。従来のアクセス制御情報は、ここでは、システムブロードキャストメッセージ内に前に伝送された従来のアクセス制御情報と同じかまたは異なってもよい、すなわち、従来のアクセス制御情報は、ここでは、更新された従来のアクセス制御情報である。
【００７６】
４０５．サービスに基づいたアクセス制御を停止する指示を受信すると、ＵＥは、サービス固有のアクセス制御情報を使用するのを停止して従来のアクセス制御情報の使用を再開する。
【００７７】
ＵＥは、従来のアクセス制御情報に従ってアクセス制御を行うように、直ちにシステムブロードキャストメッセージを読んで、従来のアクセス制御情報を取得してもよい。ＵＥは、アクセス制御が行われる必要があるときに、システムブロードキャストメッセージを読んでもよい。ＵＥは、デフォルトの従来のアクセス制御情報を構成するか、または、前に取得された従来のアクセス制御情報を保存してもよい。最新のアクセス制御情報を受信する前に、ＵＥは、アクセス制御のためにデフォルトの情報または保存した情報を使用する。
【００７８】
この実施形態を通じて、ＵＥは、次のシステムブロードキャストメッセージの変化の境界の到着を待つことなく、サービスに基づいたアクセス制御の指示を受信する直後にアクセス制御情報を取得してもよい。したがって、ＵＥは、よりすばやくサービスに基づいたアクセス制御を実行して、待機期間におけるネットワークの混雑を防止することができる。
【００７９】
更に、本発明の実施形態は、ＵＥのＮＡＳのアクセス要求内に伝送されたアクセスサービスタイプ値をＲＲＣ層によって使用されるアクセスサービスタイプ値と適合させる方法を提供するものであり、この方法は、同期方法として簡潔に知られている。
【００８０】
本発明の実施形態において提示される第１の同期方法においては、ＮＡＳは、アクセスサービスタイプ値を伝送するアクセス要求をＲＲＣ層に送る。アクセスサービスタイプ値は、サービスに基づいた一種の移動機発信アクセスおよび／またはサービスに基づいた一種の移動機着信アクセスを含む。ＵＥのＲＲＣ層が、サービス固有のアクセス制御情報に従って種々のサービスアクセス要求のためにアクセス制御を実行しないと、ＵＥのＲＲＣ層は、通話の移動機発信アクセスタイプまたは移動機着信アクセスタイプに従ってアクセス要求のためにアクセス制御を行う。
【００８１】
ＵＥのＲＲＣ層が、サービス固有のアクセス制御情報に従って種々のサービスアクセス要求のためにアクセス制御を行うと、ＵＥのＲＲＣ層は、サービス固有のアクセス制御情報に従って種々のサービスアクセス要求のためにアクセス制御を行う。すなわち、ＮＡＳは、ＲＲＣ層に送られたアクセスサービスタイプ値における移動機発信サービスおよび移動機着信サービスを、サービスに基づいた移動機発信アクセスのタイプ（すなわち、特定の移動機発信サービス）およびサービスに基づいた移動機着信アクセスのタイプ（すなわち、特定の移動機着信サービス）に細分化する。
【００８２】
具体的には、ＵＥのＲＲＣ層がアクセス制御を行うために従来の（サービスに基づいていない）アクセス制御情報を使用すると、ＵＥは、サービスに基づいた細分化を無視し、この細分化には、移動機発信タイプおよび移動機着信タイプが含まれ、ＮＡＳにより提供された全ての移動機発信アクセスタイプのためのアクセス制御を行うために従来の移動機発信制御情報を使用し、ＮＡＳにより提供された全ての移動機着信アクセスタイプのためのアクセス制御を行うために従来の移動機着信制御情報を使用する。ＵＥのＲＲＣ層がアクセス制御を行うためにサービス固有のアクセス制御情報を使用すると、ＵＥのＲＲＣ層は、ＮＡＳにより提供された全てのアクセスタイプのためのアクセス制御を行うために直接的にサービスに基づいたアクセス制御情報を使用する。
【００８３】
本発明の一実施形態において提示する第２の同期方法においては、ＵＥのＲＲＣ層がネットワークにより送られたシステムブロードキャストメッセージを受信してシステムブロードキャストメッセージからサービス固有のアクセス制御情報を取得すると、ＵＥのＲＲＣ層は、ＵＥのＮＡＳにサービスに基づいたアクセス制御を開始する指示を送る。サービスに基づいたアクセス制御を開始する指示を受信した後に、ＵＥのＮＡＳは、アクセスサービスタイプ値をＵＥのＲＲＣ層行きのアクセス要求に追加する。アクセスサービスタイプ値は、サービスに基づいた移動機発信アクセスのタイプ、またはサービスに基づいた移動機着信アクセスのタイプを含む。ＵＥのＲＲＣ層は、サービス固有のアクセス制御情報に従って種々のサービスアクセス要求のためにアクセス制御を行う。ＵＥのＲＲＣ層が、ネットワークにより送られたシステムブロードキャストメッセージを受信して、システムブロードキャストメッセージからサービス固有のアクセス制御情報を取得せず、ＵＥがアクセス制御を行うためにサービス固有のアクセス制御情報を使用している場合、ＵＥのＲＲＣ層は、サービスに基づいたアクセス制御を停止する指示をＵＥのＮＡＳに送る。サービスに基づいたアクセス制御を停止する指示を受信した後に、ＵＥのＮＡＳは、ＵＥのＲＲＣ層行きのこれ以上のアクセスサービスタイプ値をアクセス要求に追加せずに、アクセスタイプ値をアクセス要求に追加する。ＵＥは、サービス固有のアクセス制御情報を使用するのを停止するが、同時に従来のアクセス制御情報の使用を再開する。
【００８４】
具体的には、ＵＥのＲＲＣ層がサービス固有のアクセス制御情報を伝送するシステムブロードキャストメッセージを受信すると、ＵＥのＲＲＣ層は、サービスに基づいたアクセス制御を開始する指示をＮＡＳに送る。その後、ＲＲＣ層にＮＡＳによって送られるべきアクセスサービスタイプ値で、移動機発信サービスおよび／または移動機着信サービスは、サービスに基づいた移動機発信アクセスのタイプおよび／またはサービスに基づいた移動機着信アクセスのタイプに更に細分化される。ＲＲＣ層はサービスに基づいたアクセス制御情報を使用して、ＮＡＳにより提供されたアクセスタイプのためのアクセス制御を行う。ＵＥのＲＲＣ層がサービス固有のアクセス制御情報を伝送しないシステムブロードキャストメッセージを受信し、ＲＲＣ層がアクセス制御を行うためにサービス固有のアクセス制御情報を使用していると、ＲＲＣ層は、サービスに基づいたアクセス制御を停止する指示をＮＡＳに送る。その後、ＲＲＣ層にＮＡＳによって送られるべきアクセスサービスタイプ値では、移動機発信サービスおよび／または移動機着信サービスは、もはや、サービスに基づいた移動機発信アクセスのタイプおよび／またはサービスに基づいた移動機着信アクセスのタイプに細分化されない。ＲＲＣ層は、従来の（サービスに基づいていない）アクセス制御情報を使用してＮＡＳにより提供されたアクセスタイプのためにアクセス制御を行う。
【００８５】
前述の２つの同期方法は、例を使って以下で詳説するように他の実施形態において提示されるアクセス制御と組み合わせてもよい。
【００８６】
第１の実施例においては、ＵＥのＲＲＣ層は、システムブロードキャストメッセージを受信し、システムブロードキャストメッセージから従来のアクセス制御情報を取得して、特定のサービスのためにアクセス制御を停止するようにＵＥのＮＡＳに通知する。特定のサービスのためにアクセス制御を停止する通知を受信した後に、ＵＥのＮＡＳは、アクセスサービスタイプを伝送するアクセス要求を送る。アクセスサービスタイプは、ここでは、移動機発信サービスまたは移動機着信サービスを含んでもよい。アクセス要求を受信した後に、ＵＥのＲＲＣ層は、従来のアクセス制御情報に従ってアクセスサービスタイプに対応するサービスのためにアクセス制御を行う。
【００８７】
第２の実施例においては、ＵＥのＲＲＣ層は、システムブロードキャストメッセージを受信して、システムブロードキャストメッセージから従来のアクセス制御情報を取得する。ＵＥのＮＡＳは、アクセスサービスタイプを伝送するアクセス要求を送る。アクセス要求を受信した後に、ＵＥのＲＲＣ層は、アクセス要求内のアクセスサービスタイプを移動機発信サービスおよび／または移動機着信サービスに分類して、従来のアクセス制御情報に従って、分類されたアクセスサービスタイプに対応するサービスのためにアクセス制御を行う。アクセス要求内のアクセスサービスタイプとしては、移動機発信ビデオサービス、移動機発信音声サービス、移動機発信データサービス、移動機発信ＳＭＳサービス、移動機発信マルチメディアサービス、移動機発信ＶｏＩＰサービスまたは他の移動機着信サービス、あるいは、移動機着信ビデオサービス、移動機着信音声サービス、移動機着信データサービス、移動機着信ＳＭＳサービス、移動機着信マルチメディアサービス、移動機着信ＶｏＩＰサービスまたは他の移動機着信サービスを含むことができる。
【００８８】
前述の実施例においては、サービス固有のアクセス制御情報に従ってアクセスサービスタイプに対応する特定のサービスのためにアクセス制御を行うＵＥのＲＲＣ層は、ＲＲＣ層が、サービス固有のアクセス制御情報に従ってアクセスサービスタイプに対応する特定のサービスについたアクセスに関する決定を行うプロセスである。特定のサービスがアクセス可能であると判断された場合、ＲＲＣ層は、セットアップ原因値を伝送する接続セットアップ要求メッセージを送る。このセットアップ原因値は、アクセスサービスタイプとセットアップ原因値の間のマッピング関係に従って、およびアクセス要求内のアクセスサービスタイプに従って、ＵＥのＲＲＣ層によって決定される。
【００８９】
本発明の実施形態は、セットアップ原因値にアクセスサービスタイプをマッピングする方法、および、ＵＥのＲＲＣ層により、マッピング方式を通じて取得されたマッピング関係およびアクセス要求内のアクセスサービスタイプに従ってセットアップ原因値を決定する方法を提供するものであり、その結果、アクセスサービスタイプ値が限定数で拡張されたセットアップ原因値を上回る場合に従来技術におけるセットアップ原因値とアクセスサービスタイプ値との不整合の問題が解決される。
【００９０】
本発明の一実施形態による、セットアップ原因値にアクセスサービスタイプ値をマッピングするための本方法においては、アクセスサービスタイプ値として、緊急時サービス、ｈｉｇｂＰｒｉｏｒｉｔｙＡｃｃｅｓｓサービス、移動終端接続サービス（ｍｔ−Ａｃｃｅｓｓ）、移動機発信信号送信サービス（ｍｏ−Ｓｉｇｎａｌｉｎｇ）、移動機発信データサービス（ｍｏ−Ｄａｔａ）サービス、移動機着信ビデオサービス（ｍｔ−Ｖｉｄｅｏ）、移動機着信音声サービス（ｍｔ−Ｖｏｉｃｅ）、他の移動機着信サービス（ｍｔ−ｏｔｈｅｒサービス）、移動機発信ビデオサービス（ｍｏ−Ｖｉｄｅｏ）、移動機発信音声サービス（ｍｏ−ｖＶｏｉｃｅ）、他の移動機発信サービス（ｍｏ−ｏｔｈｅｒサービス）、移動機発信ＩＰマルチメディアサブシステム信号送信サービス（ｍｏ−ＩＭＳｓｉｇｎａｌｉｎｇ）、移動機発信リアルタイムサービス（ｍｏ−ｒｅａｌｔｉｍｅサービス（たとえばゲーム））およびＳＭＳがある。
【００９１】
この実施形態においては、セットアップ原因値としては、緊急時サービス、ｈｉｇｈＰｒｉｏｒｉｔｙＡｃｃｅｓｓサービス、ｍｔ−Ａｃｃｅｓｓサービス、ｍｏ−Ｓｉｇｎａｌｉｎｇサービス、ｍｏ−Ｖｏｉｃｅサービス、ｍｏ−Ｖｉｄｅｏサービス、および、ｍｏ−ｏｔｈｅｒサービスがある。
【００９２】
したがって、この実施形態におけるセットアップ原因値とアクセスサービスタイプ値の間のマッピング関係は、以下であってよく、すなわち、セットアップ原因値は、同じ名前のアクセスサービスタイプ値に対応し、アクセスサービスタイプ値の名前がセットアップ原因値の名前と同じではない場合、アクセスサービスタイプ値は、移動機発信タイプまたは移動機着信タイプに従ってマッピングされる、すなわち、全ての移動機発信アクセスサービスタイプ値は、セットアップ原因値の１つに対応し、全ての移動機着信アクセスサービスタイプ値は、セットアップ原因値の間の別の値に対応する。
【００９３】
たとえば、セットアップ原因値とアクセスサービスタイプ値のマッピング関係は、以下であってよい。セットアップ原因値は、同じ名前のアクセスサービスタイプ値に対応し、アクセスサービスタイプ値の名前がセットアップ原因値の名前と同じではない場合、移動機着信アクセスサービスタイプは、移動機着信セットアップ原因値（ｍｔ−Ａｃｃｅｓｓ）に対応し、移動機発信アクセスサービスタイプは、移動機発信セットアップ原因値（ｍｏ−ｏｔｈｅｒサービス）に対応する。図５は、本発明の実施形態によるセットアップ原因値とアクセスサービスタイプ値の間のマッピング関係のインスタンスである。実際には、ＶｏＩＰサービスおよびマルチメディアサービスなどの複数の種々のサービスタイプがあってもよく、マッピング関係は、この実施形態において提示されるマッピング方式に従って設定してもよい。
【００９４】
この実施形態においては、アクセスサービスタイプ値とセットアップ原因値のマッピング関係は、ＵＥ内に格納してもよい。ＵＥのＲＲＣ層がＮＡＳにより提供されたアクセスサービスタイプ値のためにアクセス制御に関する決定を行った後に、許容されたアクセスタイプについて、ＵＥは、格納されたマッピング関係に従ってＲＲＣセットアップ要求メッセージ内に伝送されたセットアップ原因値にアクセスサービスタイプ値をマッピングして、ＲＲＣセットアップ要求メッセージを送る。たとえば、ＵＥが、緊急時通話サービスがアクセス可能であると判断した場合、送られたＲＲＣセットアップ要求メッセージは、緊急時通話のセットアップ原因値を伝送する。ＵＥが、ｍｏ−ＩＭＳ信号送信サービスがアクセス可能であると判断した場合、送られたＲＲＣセットアップ要求メッセージは、他の移動機発信サービスのセットアップ原因値を伝送する。
【００９５】
この実施形態は、ＲＲＣセットアップ原因値の数が限られ、ＲＲＣセットアップ原因値がアクセスサービスタイプ値に適合することができないという問題を解決する。更に、この実施形態において提示する本方法は、他のシナリオにおいて適用可能である。特に、マッピング方法は、より多くのシナリオに適用可能であり、本発明の実施形態において提示するアクセス制御方法と組み合わせられることに限定されるものではない。
【００９６】
当業者は、先行する実施形態のいずれかに記載された方法におけるステップの全てまたは一部が、関連したハードウェアを指示するプログラムによって実行してもよいと理解する。プログラムは、コンピュータ可読記憶媒体内に格納されてもてよい。プログラムが実行するとき、少なくとも以下のステップが実行される。
【００９７】
アクセス制御方法は、ＵＥが特定のサービスのためにアクセス制御を行う必要があるかどうかを判定するステップと、ＵＥにシステムブロードキャストメッセージを送るステップとを含み、システムブロードキャストメッセージは、ＵＥが特定のサービスのためにアクセス制御を行う必要がある場合にサービス固有のアクセス制御情報を伝送するか、またはシステムブロードキャストメッセージは、ＵＥが特定のサービスのためにアクセス制御を行う必要がない場合に従来のアクセス制御情報を伝送する。
【００９８】
アクセス制御方法は、ＵＥにより、サービス固有のアクセス制御情報を伝送するシステムブロードキャストメッセージを受信するステップと、サービス固有のアクセス制御情報に従って特定のサービスのためにアクセス制御を行うステップとを含む。
【００９９】
上述の記憶媒体は、読出し専用メモリ（ＲＯＭ）、磁気ディスクまたはコンパクトディスク読出し専用メモリ（ＣＤ−ＲＯＭ）であってよい。
【０１００】
図６に示すように、本発明の実施形態において提示するネットワーク装置は、
ＵＥが特定のサービスのためにアクセス制御を行う必要があるかどうかを判定するように構成された判定部６０１と、
ＵＥにシステムブロードキャストメッセージを送るように構成された送信部６０２と
を含み、
システムブロードキャストメッセージは、判定部６０１がＵＥは特定のサービスのためにアクセス制御を行う必要があると判定した場合にサービス固有のアクセス制御情報を伝送するか、またはシステムブロードキャストメッセージは、判定部６０１が、ＵＥは特定のサービスのためにアクセス制御を行う必要がないと判定した場合に従来のアクセス制御情報を伝送する。
【０１０１】
更に、装置は、
判定部が、ＵＥは特定のサービスのためにアクセス制御を行う必要があるかどうかを判定した後であり、かつ送信部がＵＥにシステムブロードキャストメッセージを送る前に、ページングメッセージを送るように構成されたページング部を含み、このページングメッセージは、ＵＥに直ちにアクセス制御情報を取得するように指示する。
【０１０２】
更に、判定部６０１は、災害、ネットワークの混雑またはサービスの突然の急増の発生または差し迫った発生によってトリガされたときにＵＥが特定のサービスのためにアクセス制御を行う必要があると判断するように構成されたトリガ部を含む。
【０１０３】
この実施形態において提示されるネットワーク装置は、本発明の実施形態において提示されるアクセス制御方法を実現することができる。
【０１０４】
図７に示すように、本発明の実施形態において提示されるＵＥは、
サービス固有のアクセス制御情報を伝送するシステムブロードキャストメッセージを受信するように構成された受信部７０１と、
受信部７０１によって受信されたサービス固有のアクセス制御情報に従ってサービスに特有なアクセス要求のためにアクセス制御を行うように構成された第１の制御部７０２とを含む。
【０１０５】
更に、受信部７０１は、
ページングメッセージを受信するように構成されたページングメッセージ受信部と、
ページングメッセージがＵＥに直ちにアクセス制御情報を取得するように指示した場合、直ちにシステムブロードキャストメッセージを受信するように構成されたシステムブロードキャストメッセージ受信部とを含む。
【０１０６】
更に、ＵＥは、
受信部７０１により、受信された更新されたシステムブロードキャストメッセージがサービス固有のアクセス制御情報を伝送しない場合、更新されたシステムブロードキャストメッセージ内の従来のアクセス制御情報に従ってアクセス制御を行うように構成された第２の制御部、または
ページングメッセージ受信部により、受信されたページングメッセージがＵＥに特定のサービスのためにアクセス制御を実行しないように指示した場合、直ちにシステムブロードキャストメッセージを受信し、システムブロードキャストメッセージ内の従来のアクセス制御情報に従ってアクセス制御を行うように構成された第３の制御部を含む。
【０１０７】
この実施形態において提示するＵＥは、本発明の実施形態において提示されたアクセス制御方法を実行することができる。
【０１０８】
図８に示すように、本発明の一実施形態において提示するアクセス制御システムは、
ＵＥ８０２が特定のサービスのためにアクセス制御を行う必要があるかどうかを判定してＵＥ８０２にシステムブロードキャストメッセージを送るように構成されたネットワーク装置８０１であって、システムブロードキャストメッセージは、ＵＥ８０２が特定のサービスのためにアクセス制御を行う必要がある場合にサービス固有のアクセス制御情報を伝送するか、または、システムブロードキャストメッセージは、ＵＥ８０２が特定のサービスのためにアクセス制御を行う必要がない場合に従来のアクセス制御情報を伝送するネットワーク装置と
ネットワーク装置８０１からサービス固有のアクセス制御情報を伝送するシステムブロードキャストメッセージを受信して、サービス固有のアクセス制御情報に従って特定のサービスのためにアクセス制御を行うように構成されたＵＥ８０２とを含む。
【０１０９】
ネットワーク装置８０１およびＵＥ８０２の詳細な構造については、ネットワーク装置およびＵＥについて前出の説明を参照されたい。
【０１１０】
ここで提示するアクセス制御システム、ネットワーク装置およびＵＥの詳細な操作方法については、アクセス制御方法に関する前出の説明を参照されたい。
【０１１１】
ここで提示するアクセス制御システム、ネットワーク装置およびＵＥを通じて、種々のサービスタイプは、種々のサービス固有のアクセス制御情報に対応しており、したがって、ＵＥは、ユーザの要求を満たすサービス固有のアクセス制御情報に従って種々のサービスに特有なアクセス要求のためにアクセス制御を行うことができる。
【０１１２】
本発明において提示するアクセス制御方法、装置およびシステムが上述されている。本発明の原理および実行方式をいくつかの例示的な実施形態を通じて説明されているが、前出の本発明の説明は、本発明の本法および考え方を理解するのを助けるために使用されているにすぎない。当業者が本発明の精神および範囲から逸脱することなく本発明に改変および変形を行うことができることは明らかである。本発明は、以下の特許請求の範囲または均等物により規定される保護の範囲に該当することを条件として改変および変形を包含することを意図する。結論として、本発明は、かかる実施形態に限定されるものではない。
【図１】
0005449542.tif 000002
【図２】
0005449542.tif 000003
【図３】
0005449542.tif 000004
【図４】
0005449542.tif 000005
【図５】
0005449542.tif 000006
【図６】
0005449542.tif 000007
【図７】
0005449542.tif 000008
【図８】
0005449542.tif 000009